(57)【要約】【課題】認証印刷を行う場合、プリンタが保持しているアカウント登録情報と、各ユーザが入力するアカウント情報の整合性を、管理者が逐一把握しておかなくてはならず、更新作業が煩雑でるという課題がある。また、更新作業が行われないと、該当ユーザが印刷を行うことができない。【解決手段】管理者が、ユーザによって更新可能な第二識別子群を設定しておくことで、ユーザが入力したアカウント情報を元に自動的にアカウント登録情報を更新する。【選択図】  図２
2015120272.tif 000002
【特許請求の範囲】
【請求項１】
ユーザからの印刷ジョブを送信するとともに認証印刷指示を行うホストと、前記ホストに接続され前記印刷ジョブと認証印刷指示とを受信して認証印刷を行う印刷装置とを有するプリントシステムであって、
前記印刷装置は、
前記プリントシステムの管理者が予め入力した各ユーザに対するアカウント登録情報を記憶する記憶手段と、
前記認証印刷指示に基づいて前記ユーザの認証処理を行う認証手段と、
前記認証手段による認証の結果、前記ユーザが入力したアカウント情報と前記記憶手段に記憶されたアカウント登録情報の一部分が一致し、残りの部分が不一致であると判断された場合、前記不一致であると判断された残りの部分に関し、前記ユーザが入力したアカウント情報に基づいて、前記記憶手段を更新する更新手段とを有することを特徴とするプリントシステム。
【請求項２】
前記印刷装置は、前記印刷ジョブに基づいて印刷を実行する印刷手段をさらに有することを特徴とする請求項１に記載のプリントシステム。
【請求項３】
前記ホストは、
前記認証手段による認証の結果、前記ユーザが入力したアカウント情報と前記記憶手段に記憶されたアカウント登録情報の一部分が一致し、残りの部分が不一致であると判断された場合、前記不一致の部分に関し、ユーザの再入力を促すメッセージを表示する表示手段と、
前記表示手段によって表示されたメッセージに従って、アカウント情報の一部分の再入力を行う入力手段とを有することを特徴とする請求項１又は２に記載のプリントシステム。
【請求項４】
前記表示手段はさらに、前記更新手段による更新の前に、ユーザに確認を行うためのメッセージを表示し、
前記入力手段はさらに、前記ユーザに確認を行うためのメッセージに対する応答を入力することを特徴とする請求項３に記載のプリントシステム。
【請求項５】
ホストから送信されるユーザからの印刷ジョブと認証印刷指示を受信して認証印刷を行う印刷装置であって、
前記ホストと前記印刷装置とを含むプリントシステムの管理者が予め入力した各ユーザに対するアカウント登録情報を記憶する記憶手段と、
前記認証印刷指示に基づいて前記ユーザの認証処理を行う認証手段と、
前記認証手段による認証の結果、前記ユーザが入力したアカウント情報と前記記憶手段に記憶されたアカウント登録情報の一部分が一致し、残りの部分が不一致であると判断された場合、前記不一致であると判断された残りの部分に関し、前記ユーザが入力したアカウント情報に基づいて、前記記憶手段を更新する更新手段とを有することを特徴とする印刷装置。
【請求項６】
前記印刷ジョブに基づいて印刷を実行する印刷手段をさらに有することを特徴とする請求項５に記載の印刷装置。
【請求項７】
前記認証手段による認証の結果、前記ユーザが入力したアカウント情報と前記記憶手段に記憶されたアカウント登録情報の前記一部分が不一致であると判断された場合、前記印刷手段による印刷を行わないように制御する制御手段をさらに有することを特徴とする請求項６に記載の印刷装置。
【請求項８】
前記更新手段による更新の前にユーザに更新の確認を行い、該ユーザにより更新を行わないとの判断が入力された場合、前記印刷手段による印刷を行わないように制御する制御手段をさらに有することを特徴とする請求項６に記載の印刷装置。
【請求項９】
前記印刷手段は、インクジェット方式又は電子写真方式に従って印刷を行うプリンタエンジンであることを特徴とする請求項６乃至８のいずれか１項に記載の印刷装置。
【請求項１０】
前記認証手段は、前記ユーザが入力したアカウント情報と前記記憶手段に記憶されたアカウント登録情報とを比較する比較手段を含み、
前記アカウント登録情報の一部分は前記プリントシステムの管理者が更新可能な情報であり、
前記アカウント登録情報の残りの部分は前記プリントシステムの管理者と前記ユーザとにより更新可能な情報であることを特徴とする請求項５乃至９のいずれか１項に記載の印刷装置。
【請求項１１】
ホストから送信されるユーザからの印刷ジョブと認証印刷指示を受信して認証印刷を行う印刷装置の制御方法であって、
前記ホストと前記印刷装置とを含むプリントシステムの管理者が予め入力した各ユーザに対するアカウント登録情報を記憶手段に記憶する記憶工程と、
前記認証印刷指示に基づいて前記ユーザの認証処理を行う認証工程と、
前記認証工程における認証の結果、前記ユーザが入力したアカウント情報と前記記憶手段に記憶されたアカウント登録情報の一部分が一致し、残りの部分が不一致であると判断された場合、前記不一致であると判断された残りの部分に関し、前記ユーザが入力したアカウント情報に基づいて、前記記憶手段を更新する更新工程とを有することを特徴とする印刷装置の制御方法。
【請求項１２】
請求項１１に記載の印刷装置の制御方法の各工程をコンピュータに実行させることを特徴とするプログラム。
【発明の詳細な説明】
【技術分野】
【０００１】
本発明はプリントシステム、印刷装置及び印刷装置の制御方法に関し、特に、認証用データベースを備え認証印刷を行うプリントシステム、そのシステムに含まれる印刷装置及び印刷装置の制御方法に関する。
【背景技術】
【０００２】
従来から、プリンタのアカウンティング管理やセキュリティ管理、課金管理などを目的として、印刷時に認証を行うプリントシステムがある。このようなシステムでは一般的にはユーザが入力したアカウント情報とプリンタ／認証サーバが持つアカウント登録情報の整合性をチェックする。このようなシステムにおいて、プリンタ／認証サーバが持つアカウント登録情報の更新は、セキュリティ上、システム管理者に一任されている。
【０００３】
このため、システム管理者は各ユーザとアカウント情報の整合性を逐一確認して把握してなくてはならず、システム管理者による更新作業は煩雑なものである。また、システム管理者による更新作業が行われない限り、該当ユーザは印刷を行うことができない。
【０００４】
このようなシステム管理者の煩雑な作業を解消するため、従来より特許文献１、２のように、ユーザによるアカウント登録情報の更新を可能にした技術が提案されている。
【先行技術文献】
【特許文献】
【０００５】
【特許文献１】特開２００４−２５２７０９号公報
【特許文献２】特開２００７−２８６９５７号公報
【発明の概要】
【発明が解決しようとする課題】
【０００６】
しかしながら上記特許文献１、２で提案された技術では、システム管理者をアカウント登録情報更新の作業の煩雑さから解放しているが、システム管理者を介さずにユーザが自由にアカウント登録情報を変更できるため、依然としてセキュリティ上の課題がある。
【０００７】
そのため、従来のプリントシステムにおけるアカウント登録情報の更新は、システム管理者のみに一任するか、もしくは、特許文献１、２のように、全てのユーザが自由に更新可能にするかの二者択一となっている。従って、アカウント登録情報の更新の自由度とセキュリティの確保のバランスがとれたシステムが望まれている。
【０００８】
本発明は上記従来例に鑑みてなされたもので、アカウント登録情報の更新作業の軽減と認証におけるセキュリティの確保の両立が可能なプリントシステム、印刷装置及びその印刷装置の制御方法を提供することを目的とする。
【課題を解決するための手段】
【０００９】
上記目的を達成するために本発明のプリントシステムは次のような構成からなる。
【００１０】
即ち、ユーザからの印刷ジョブを送信するとともに認証印刷指示を行うホストと、前記ホストに接続され前記印刷ジョブと認証印刷指示とを受信して認証印刷を行う印刷装置とを有するプリントシステムであって、前記印刷装置は、前記プリントシステムの管理者が予め入力した各ユーザに対するアカウント登録情報を記憶する記憶手段と、前記認証印刷指示に基づいて前記ユーザの認証処理を行う認証手段と、前記認証手段による認証の結果、前記ユーザが入力したアカウント情報と前記記憶手段に記憶されたアカウント登録情報の一部分が一致し、残りの部分が不一致であると判断された場合、前記不一致であると判断された残りの部分に関し、前記ユーザが入力したアカウント情報に基づいて、前記記憶手段を更新する更新手段とを有することを特徴とする。
【発明の効果】
【００１１】
従って本発明によれば、アカウント登録情報の一部をユーザからの指定により更新させることで管理者によるアカウント登録情報の更新作業の煩雑さを軽減することができるという効果がある。
【図面の簡単な説明】
【００１２】
【図１】本発明の代表的な実施例である印刷システムの概略ハードウェア構成を示すブロック図である。
【図２】図１で示したプリントシステムで実施されるアカウント登録情報更新の機能構成を示すブロック図である。
【図３】表形式のアカウント登録情報の一例を示した図である。
【図４】実施例１に従うアカウント登録情報更新処理の概要を示したフローチャートである。
【図５】認証処理の概要を示したフローチャートである。
【図６】更新後アカウント登録情報の一例を示した図である。
【図７】実施例２に従うアカウント登録情報更新処理を示したフローチャートである。
【図８】実施例２に従うアカウント情報の再入力を促す通知画面の一例を示す図である。
【図９】実施例３に従うアカウント登録情報更新処理を示したフローチャートである。
【図１０】実施例３に従うユーザへアカウント登録情報の更新の確認を行う通知画面の一例を示す図である。
【発明を実施するための形態】
【００１３】
以下添付図面を参照して本発明の好適な実施例について、さらに具体的かつ詳細に説明する。なお、既に説明した部分には同一符号を付し重複説明を省略する。
【００１４】
なお、この明細書において、「記録（印刷）」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
図１は本発明の代表的な実施例であるプリントシステムの概略ハードウェア構成を示すブロック図である。図１に示すように、プリンタ装置（印刷装置）１２０とコンピュータなどのホスト１００がそれぞれのインタフェース回路を介して互いに接続される。
【００１７】
ホスト１００はメインボード１００ａと、周辺機器であるキーボード（ＫＢ）１０５とディスプレイ（ＤＩＳＰＬＡＹ）１０７と外部記憶装置１０９とから構成される。メインボード１００ａはＣＰＵ１０１とＲＡＭ１０２とＲＯＭ１０３とキーボードコントローラ（ＫＢＣ）１０４とディスプレイコントローラ（ＤＰＣ）１０６とディスクコントローラ（ＤＫＣ）１０８とプリンタインタフェース（ＰＩ／Ｆ）１１０とを有する。外部記憶装置１０９には、ハードディスクドライブ（ＨＤＤ）やフロッピーディスク（ＦＤＤ・登録商標）などを含む。
【００１８】
ＣＰＵ１０１は、システムバス１００ｂに接続される各デバイスを総括的に制御し、各種プログラムを実行する。キーボードコントローラ（ＫＢＣ）１０４はキーボード（ＫＢ）１０５やポインティングデバイス（不図示）からの入力を制御する。ディスプレイコントローラ（ＤＰＣ）１０６はディスプレイ（ＤＩＳＰＬＡＹ）１０７の表示を制御する。ディスクコントローラ（ＤＫＣ）１０８はハードディスクドライブ（ＨＤＤ）やフロッピーディスク（ＦＤＤ・登録商標）などの外部記憶装置１０９とのアクセスを制御する。
【００１９】
ＲＡＭ１０２はＣＰＵ１０１のメインメモリあるいはワークエリアとして用いられる。ＲＯＭ１０３はオペレーティングシステム（ＯＳ）、後述する各機能を実現するプログラム、ブートプログラム、各種のアプリケーション、ユーザファイル、プリンタ制御コマンド生成プログラム（以下、プリンタドライバ）などを記憶する。プリンタインタフェース（ＰＩ／Ｆ）１１０は所定の双方向通信プロトコルを用いてプリンタ装置１２０とのデータ及びコマンドの通信処理を制御する。
【００２０】
プリンタ装置１２０はプリンタエンジン１２２とプリンタコントローラ１２１と不揮発性記憶装置１３３と操作パネル１３１とを有し、所定の双方向通信プロトコルを用いてホスト１００と接続され通信を行う。不揮発性記憶装置１３３はハードディスク（ＨＤＤ）１２８またはＥＥＰＲＯＭ１２９を有する。
【００２１】
プリンタコントローラ１２１はＣＰＵ１２４とＲＯＭ１２５とＲＡＭ１２６とホストインタフェース（Ｉ／ＦＣ）１２３とディスクコントローラ（ＤＫＣ）１２７とパネルインタフェース（Ｉ／ＦＰ１３０）とエンジンインタフェース（Ｉ／ＦＥ）１３２と含む。
【００２２】
ＣＰＵ１２４は各種プログラムを実行する。ＲＯＭ１２５はホスト１００からのデータ及びコマンドを受信し、プリンタエンジン１２２を制御して最適な印刷を実現させるプログラムや各種データを記憶する。
【００２３】
ＲＡＭ１２６は各種データや各種プログラムを一時的に記憶する。ホストインタフェース（ＨＩ／Ｆ）１２３は所定の双方向通信プロトコルを用いてホスト１００とのデータ及びコマンドのホストとの通信処理を制御する。ハードディスク（ＨＤＤ）１２８はホスト１００からの印刷データ及び印刷データに関する情報など大容量のデータを記憶する。ＥＥＰＲＯＭ１２９は印刷時に使用するプリンタ独自の情報などを記憶する。ディスクコントローラ（ＤＫＣ）１２７は不揮発性記憶装置１３３とのアクセスを制御する。パネルインタフェース（Ｉ／ＦＰ）１３０は操作パネル１３１の表示や入力を制御する。エンジンインタフェース（Ｉ／ＦＥ）１３２はハードウェアを直接制御して最適な印刷を実現させるプリンタエンジン１２２を制御する。
【００２４】
プリンタエンジン１２２はハードウェアを直接制御して最適な印刷を行う機構で、インクジェット方式または電子写真方式を採用したプリンタエンジンである。
【００２５】
図２は図１で示したプリントシステムで実施されるアカウント登録情報更新の機能構成を示すブロック図である。
【００２６】
プリンタ装置１２０は、例えば、Ａ０やＢ０サイズの記録紙、或いは、そのようなサイズの画像を記録するロール紙などの記録媒体を使用する大判プリンタである。その大判プリンタはアカウント登録情報更新のための各機能が実装されたファームウェア２０１とアカウント登録情報記憶部２０５とを備える。
【００２７】
ファームウェア２０１は認証印刷部２０２を備え、ホスト１００からの送信される印刷ジョブと認証印刷指示に基づいて、認証印刷部２０２は認証印刷を実行する。
【００２８】
認証印刷では、まず認証部２０３は、アカウント情報の比較、即ち、ユーザが入力したアカウント情報とプリンタ装置１２０がアカウント登録情報記憶部２０５に保持するアカウント登録情報との比較を行う（２０４）。続いて、その比較結果に基づいて、アカウント登録情報更新の可否を確認する（２０６）。この確認は、第二識別子群設定領域２０９に対して管理者がアカウント登録情報を入力し（２０７）設定し（２０８）、アカウント登録情報記憶部２０５にこれを記憶しておき、その設定情報を参照して確認する。
【００２９】
その確認後、アカウント登録情報更新を行い（２１０）、アカウント登録情報記憶部２０５のアカウント登録情報を更新し（２１１）、印刷を実行する（２１２）。
【００３０】
図３は表形式のアカウント登録情報の一例を示した図である。
【００３１】
ここでは、ＩＤ名として、ユーザＩＤ、ＰＷ（パスワード）、部門ＩＤが設定されている。そして、管理者によって、第二識別子群として部門ＩＤが設定されている。また、ユーザとしては、ユーザ１、ユーザ２、ユーザ３の３名が登録されており、それぞれ、ユーザＩＤ、ＰＷ、部門ＩＤが設定されている。
【００３２】
さて、これらアカウント登録情報と認証印刷指示においてユーザが入力するアカウント情報の内、プリントシステムの管理者のみが更新可能な情報を第一識別子群といい、管理者とユーザのどちらもが更新可能な情報を第二識別子群という。これらアカウント登録情報とアカウント情報は各ユーザ固有に割り振られる。以下の実施例では、ユーザＩＤ、ＰＷ（パスワード）が第一識別子群に属する情報であり、これらは管理者により更新され、部門ＩＤが第二識別子群に属する情報であるとしている。
【００３３】
次に、以上の構成のプリントシステムが実行するアカウント登録情報更新についてのいくつかの実施例について説明する。
【実施例１】
【００３４】
図４は実施例１に従うアカウント登録情報更新処理の概要を示したフローチャートである。
【００３５】
認証印刷がホスト１００より指示されると、プリンタ装置１２０はアカウント情報付印刷ジョブをホスト１００から受信し、ステップＳ４０１では認証処理を実行し、さらに、ステップＳ４０２ではその認証結果を判別する。
【００３６】
図５は認証処理の概要を示したフローチャートである。
【００３７】
認証処理が行われた場合、ステップＳ６０１ではユーザが入力したアカウント情報とアカウント登録情報記憶部２０５に記憶されているアカウント登録情報とを比較する。
【００３８】
ここで認証結果が一致、つまり、ユーザが入力したアカウント情報とアカウント登録情報記憶部２０５に保持するアカウント登録情報が全て一致した場合、処理はステップＳ４０６に進み印刷を実行し、その後処理を終了する。図３に示す例に従えば、ユーザ１の場合、アカウント情報として入力された「ユーザＩＤ：１１ＡＡ２２ＢＢ」、「ＰＷ：ｘｘｙｙｚｚ」、「部門ＩＤ：１２３４」が全て一致したことを意味する。
【００３９】
これに対して、認証結果が不一致、つまり、ユーザが入力したアカウント情報とアカウント登録情報記憶部２０５に保持するアカウント登録情報の一部分又は全てが不一致だった場合、処理はステップＳ４０３に進む。そして、ステップＳ４０３では、不一致と判定された識別子が第二識別子群に属するかどうかを調べる。ここで、その判定結果がＮｏ、つまり、不一致と判定された識別子が第二識別子群には属していない場合、処理はそのまま終了する。これに対して、その判定結果がＹｅｓ、つまり、不一致と判定された識別子が第二識別子群に属している場合、処理はステップＳ４０４に進む。
【００４０】
ステップＳ４０４ではさらに対象となる第二識別子群が有効な値であるどうかかを調べる。その判定結果がＹｅｓ、つまり、有効な値であった場合、処理はステップＳ４０５に進み、アカウント登録情報の更新を行う。図３に示した例によれば、部門ＩＤを第二識別子群として設定している。このためユーザ１の場合、アカウント情報として入力された「ユーザＩＤ：１１ＡＡ２２ＢＢ」、「ＰＷ：ｘｘｙｙｚｚ」、「部門ＩＤ：１２３４」の内、部門ＩＤが不一致である。しかし、その部門ＩＤの値は有効な値（有効な部門ＩＤ（０９８７等））を入力したことを意味する。ステップＳ４０５におけるアカウント登録情報の更新後、ステップＳ４０６では印刷を実行し、その後処理を終了する。
【００４１】
よって、仮に当該ユーザが所属する部門が変わり、ユーザが新たな部門ＩＤを入力した場合、その部門ＩＤがアカウント登録情報として既に登録されていれば、印刷を実行することができる。また、その部門ＩＤがアカウント登録情報として登録されていなければ、印刷が許可されないため、ユーザが誤った部門ＩＤを入力した場合には、印刷を行わないよう制御することができる。
【００４２】
さらに、ユーザが入力した部門ＩＤが既に登録されている場合（ステップＳ４０４でＹｅｓ）、当該ユーザに対応する部門ＩＤとしてアカウント登録情報が自動的に更新される（ステップＳ４０５）。よって、ユーザが改めて新たな部門ＩＤの入力を行って更新を指示しなくても、その更新処理を行わせることができる。
【００４３】
これに対して、ステップＳ４０４における判定結果がＮｏ、つまり、対象の第二識別子群が無効な値であった場合、処理はそのまま終了する。なお、ステップＳ４０４における有効無効の判定とは、部門ＩＤが第二識別子群として設定されていた場合、プリントシステム運用環境下において、実在する部門ＩＤであるか否かを判定することである。無効と判定された場合、その旨をユーザや管理者に通知してもよい。
【００４４】
図６は更新後アカウント登録情報の一例を示した図である。
【００４５】
図６の例によれば、ユーザ１が、更新されたアカウント情報として、「ユーザＩＤ：１１ＡＡ２２ＢＢ」、「ＰＷ：ｘｘｙｙｚｚ」、「部門ＩＤ：０９８７」となる。これはステップＳ４０５において、ユーザ１のアカウント登録情報の部門ＩＤを「０９８７」に更新したことを意味する。
【実施例２】
【００４６】
図７は実施例２に従うアカウント登録情報更新処理を示したフローチャートである。
【００４７】
なお、図７において、既に実施例１において図４を用いて説明したのと同じ処理ステップには同じステップ参照番号を付し、その説明は省略する。
【００４８】
ステップＳ４０１〜Ｓ４０２の処理後、認証結果が不一致である場合、処理はステップＳ４０２ａに進み、ユーザに再入力を促す通知を行う。
【００４９】
図８は実施例２に従うアカウント情報の再入力を促す通知画面の一例を示す図である。
【００５０】
図８に示す画面は、ホスト１００のディスプレイ１０７に表示されるが、プリンタ装置１２０の操作パネル１３１のディスプレイに表示されても良い。図８において、再入力確認ダイアログ８００はステップＳ４０２ａにおいて表示される。この表示画面はメッセージと“はい”ボタン８０１と“いいえ”ボタン８０２で構成される。この通知に従って、ユーザは再入力を行う場合は“はい”ボタン８０１を押下し、再入力を行わない場合は“いいえ”ボタン８０２を押下する。
【００５１】
ステップＳ４０２ａでは、“はい”ボタン８０１又は“いいえ”ボタン８０２の押下をチェックすることでユーザが再入力を行うかどうか判定する。ここで、ユーザが再入力を行うことを選んだ場合、処理はステップＳ４０１に戻り、再入力したアカウント情報に基づいて再度ステップＳ４０１の認証処理を実行する。これに対して、ユーザが再入力を行わないことを選んだ場合、処理はステップＳ４０３に進み、実施例１で説明した処理を実行する。
【００５２】
なお、図８に示す画面において、ユーザが入力した部門ＩＤが表示されてもよい。これにより、アカウント登録情報に既に登録されている部門ＩＤを誤って入力した場合、その誤った部門ＩＤで更新が行われてしまうことを防ぐことができる。
【実施例３】
【００５３】
図９は実施例３に従うアカウント登録情報更新処理を示したフローチャートである。
【００５４】
なお、図９において、既に実施例１において図４を用いて説明したのと同じ処理ステップには同じステップ参照番号を付し、その説明は省略する。
【００５５】
ステップＳ４０１〜Ｓ４０３の処理後、ステップＳ４０４において、アカウント情報の第二識別子群が有効な値であると判断された場合、処理はステップＳ４０４ａに進み、アカウント登録情報を更新するかどうかをユーザに確認する。
【００５６】
図１０は実施例３に従うユーザへアカウント登録情報の更新の確認を行う通知画面の一例を示す図である。図１０に示す画面は、ホスト１００のディスプレイ１０７に表示されるが、プリンタ装置１２０の操作パネル１３１のディスプレイに表示されても良い。
【００５７】
図１０において、アカウント登録情報更新確認ダイアログ１０００はステップ４０４ａにおいて表示される。この表示画面はメッセージと“はい”ボタン１００１と“いいえ”ボタン１００２で構成される。この確認メッセージに従って、ユーザはアカウント登録情報の更新を実行するかどうか決定する。そして、ユーザは更新を実行する場合は“はい”ボタン１００１を押下し、更新不実行の場合は“いいえ”ボタン１００２を押下する。
【００５８】
ステップＳ４０４ａにおいて、確認に対する応答としてユーザが更新の実行を選んだ場合、処理はステップＳ４０５へと進み、ユーザが更新を実行しないことを選んだ場合、処理はそのまま終了する。
【００５９】
従って以上説明した実施例１〜３に従えば、認証印刷においてユーザ自身が更新可能な第二識別子群を設けることで、煩雑であった管理者のアカウント登録情報の更新作業を軽減するとともに、そのユーザが印刷できないという状況を減少させることができる。
【００６０】
また、プリンタ装置毎に第二識別子群の設定を変えることによりセキュリティ重視のプリンタ装置やアカウンティング重視のプリンタ装置と装置を使い分けることができる。
【００６１】
なお、上述した図４、図７、図９のステップＳ４０５において、アカウント登録情報が更新された場合、管理者に更新された旨を通知してもよい。または、アカウント登録情報更新履歴をＨＤＤ１２８又はプリンタ装置１２０がアクセス可能な外部の記憶媒体に保存してもよい。
【００６２】
また、本発明は以下の処理を実行することによっても実現される。即ち、上述した実施形態の機能を実現するソフトウェア（プログラム）をネットワーク又は各種記憶媒体を介して、システム或いは装置に供給し、そのシステム或いは装置のコンピュータ（またはＣＰＵやＭＰＵ等）がプログラムを読み出して実行する処理である。
【００６３】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【図１】
2015120272.tif 000003
【図２】
2015120272.tif 000004
【図３】
2015120272.tif 000005
【図４】
2015120272.tif 000006
【図５】
2015120272.tif 000007
【図６】
2015120272.tif 000008
【図７】
2015120272.tif 000009
【図８】
2015120272.tif 000010
【図９】
2015120272.tif 000011
【図１０】
2015120272.tif 000012